(57)【要約】      （修正有）【課題】組立後のムーブメントにおいても、導通部材によるアンテナ部材と基板との電気的な接続を確認することができる時計のムーブメントを提案する。【解決手段】アンテナ部材と、アンテナ部材と電気的に接続される基板と、軸方向においてアンテナ部材と基板との間に配置され、アンテナ部材および基板が取り付けられる地板と、アンテナ部材と電気的に接続され、軸方向のうち基板方向側に突出する曲げ部５と、基板と電気的に接続され、軸方向のうちアンテナ部材方向側に突出するアーム部（第二接触部）６２と、を備える。曲げ部（第一接触部）５およびアーム部（第二接触部）６２は、地板の外周面よりも径方向外側にそれぞれ配置され、かつ、径方向から見た場合に、地板の外周面に沿った接触方向において電気的に接触し、接触状態において、アーム部（第二接触部）６２が接触方向のうちアーム部方向に弾性変形する。【選択図】図４
2019158590.tif 000002
【特許請求の範囲】
【請求項１】
指針を回転させる指針回転軸と、
少なくとも外部から信号を受信するアンテナ部材と、
前記アンテナ部材と電気的に接続される基板と、
前記指針回転軸の軸方向において前記アンテナ部材と前記基板との間に配置され、前記アンテナ部材および前記基板が取り付けられる地板と、
前記アンテナ部材と電気的に接続され、前記軸方向のうち前記基板方向側に突出する第一接触部を有する第一接触部と、
前記基板と電気的に接続され、前記軸方向のうち前記アンテナ部材方向側に突出する第二接触部と、
を備え、
前記第一接触部および前記第二接触部は、前記地板の外周面よりも径方向外側にそれぞれ配置され、かつ、径方向から見た場合に、前記地板の外周面に沿った接触方向において電気的に接触し、
前記第一接触部および前記第二接触部が電気的に接触した接触状態において、少なくとも一方の前記接触部が前記接触方向のうち他方の前記接触部と反対方向に弾性変形する、
ことを特徴とする時計のムーブメント。
【請求項２】
請求項１に記載の時計のムーブメントにおいて、
前記第一接触部および前記第二接触部は、電気的に接触する接触面をそれぞれ有し、
少なくとも一方の前記接触面は、前記接触部の先端部に形成されており、前記先端部と異なる部分よりも、径方向において広く形成されている、
時計のムーブメント。
【請求項３】
請求項１または２に記載の時計のムーブメントにおいて、
前記第一接触部および前記第二接触部は、電気的に接触する接触面をそれぞれ有し、
少なくとも一方の前記接触面は、径方向から見た場合に、前記軸方向と交差して形成されている、
時計のムーブメント。
【請求項４】
請求項１〜３のいずれか１項に記載の時計のムーブメントにおいて、
前記地板は、前記外周面のうち、一部が径方向内側に凹む凹部が形成されており、
前記第一接触部および前記第二接触部は、前記軸方向から見た場合に、前記凹部に位置する、
時計のムーブメント。
【請求項５】
請求項１〜４のいずれか１項に記載の時計のムーブメントにおいて、
前記地板の外周面よりも径方向外側に配置される中枠をさらに備え、
前記第一接触部および前記第二接触部は、少なくとも一部が軸方向から見た場合に、前記地板と前記中枠との間に位置し、
前記中枠は、前記第一接触部および前記第二接触部のうち、少なくとも接触状態において弾性変形する前記接触部と、径方向において対向する部分に、切欠部が形成されている、
時計のムーブメント。
【請求項６】
請求項１〜５のいずれか１項に記載の時計のムーブメントにおいて、
少なくとも前記基板に電力を供給する電池をさらに備え、
前記基板は、前記第二接触部と電気的に接続される通信ＩＣが実装されており、かつ、前記第二接触部と前記通信ＩＣとを電気的に接続する配線が形成され、
前記電池は、前記軸方向から見た場合に、前記基板の中心を挟んで、前記通信ＩＣ、第二接触部および前記配線が含まれる通信関係領域と反対側に配置される、
時計のムーブメント。
【請求項７】
請求項６に記載の時計のムーブメントにおいて、
前記電池からの電力により、駆動するステップモータをさらに備え、
前記ステップモータは、前記軸方向から見た場合に、前記電池と前記通信関係領域との間に配置される、
時計のムーブメント。
【請求項８】
請求項１〜７のいずれか１項に記載の時計のムーブメントにおいて、
前記アンテナ部材に形成された日窓から一部が露出する日車をさらに備え、
前記第一接触部および前記第二接触部は、前記軸方向から見た場合に、前記日窓の径方向外側において前記日窓と対向する位置とは異なる位置に位置する、
時計のムーブメント。
【請求項９】
請求項１〜８のいずれか１項に記載の時計のムーブメントを備える、
ことを特徴とする電子時計。
【発明の詳細な説明】
【技術分野】
【０００１】
本発明は、時計のムーブメントおよび電子時計に関する。
【背景技術】
【０００２】
外部からの信号を受信するアンテナ部材と、通信ＩＣが実装された基板と、アンテナ部材と基板との間に位置する地板とを有し、基板、地板、アンテナ部材の順番で積層される電子時計がある。電子時計は、アンテナ部材で受信した信号を通信ＩＣに入力するため、アンテナ部材と基板とを電気的に接続する導通部材を有する。
【０００３】
従来の導通部材は、地板に形成された内部空間に配置されており、地板内においてアンテナ部材と基板とを電気的に接続している（特許文献１参照）。
【先行技術文献】
【特許文献】
【０００４】
【特許文献１】特許第５９１２７６３号公報
【発明の概要】
【発明が解決しようとする課題】
【０００５】
ところで、電子時計の製造においては、基板、地板、アンテナ部材、導通部材を含むムーブメントを組み立て、組み立てられたムーブメントを外装ケースに収容することとなる。導通部材が地板の内部空間に配置されている場合は、ムーブメントを組み立てた後に、ムーブメントの外部から導通部材を視認できないこととなる。従って、組立後のムーブメントでは、導通部材によるアンテナ部材と基板との電気的な接続を確認することが困難であるという問題がある。
【０００６】
本発明は、上記に鑑みてなされたものであって、組立後のムーブメントにおいても、導通部材によるアンテナ部材と基板との電気的な接続を確認することができる時計のムーブメントおよび電子時計を提案することを目的とする。
【課題を解決するための手段】
【０００７】
上述した課題を解決し、目的を達成するために、本実施形態における時計のムーブメントおよび電子時計は、指針を回転させる指針回転軸と、少なくとも外部から信号を受信するアンテナ部材と、前記アンテナ部材と電気的に接続される基板と、前記指針回転軸の軸方向において前記アンテナ部材と前記基板との間に配置され、前記アンテナ部材および前記基板が取り付けられる地板と、前記アンテナ部材と電気的に接続され、前記軸方向のうち基板方向側に突出する第一接触部を有する第一接触部と、前記基板と電気的に接続され、前記軸方向のうち前記アンテナ部材方向側に突出する第二接触部と、を備え、前記第一接触部および前記第二接触部は、前記地板の外周面よりも径方向外側にそれぞれ配置され、かつ、径方向から見た場合に、前記地板の外周面に沿った接触方向において電気的に接触し、前記第一接触部および前記第二接触部が電気的に接触した接触状態において、少なくとも一方の前記接触部が前記接触方向のうち他方の前記接触部と反対方向に弾性変形する。
【発明の効果】
【０００８】
本発明における時計のムーブメントおよび電子時計は、組立後のムーブメントにおいても、導通部材によるアンテナ部材と基板との電気的な接続を確認することができるという効果を奏する。
【図面の簡単な説明】
【０００９】
【図１】図１は、実施形態における電子時計のムーブメントの平面図である。
【図２】図２は、図１の要部拡大図である。
【図３】図３は、実施形態における電子時計のムーブメントの底面図である。
【図４】図４は、図２の要部拡大図である。
【図５】図５は、アンテナ部材と曲げ部を示す斜視図である。
【図６】図６は、実施形態における電子時計のムーブメントの要部側面図である。
【図７】図７は、実施形態における電子時計のムーブメントの要部側面図である。
【図８】図８は、実施形態における第一導通部材を示す図である。
【図９】図９は、実施形態における導通部材を示す図である。
【図１０】図１０は、実施形態における電子時計のムーブメントの組み立て説明図である。
【図１１】図１１は、変形例における電子時計のムーブメントの平面図である。
【発明を実施するための形態】
【００１０】
以下、本発明につき図面を参照しつつ詳細に説明する。なお、下記の実施形態により本発明が限定されるものではない。また、下記の実施形態における構成要素には、当業者が容易に想定できるものあるいは実質的に同一のものが含まれる。
【００１１】
〔実施形態〕
図１は、実施形態における電子時計のムーブメントの平面図である。図２は、図１の要部拡大図である。図３は、実施形態における電子時計のムーブメントの底面図である。図４は、図２の要部拡大図である。図５は、アンテナ部材と曲げ部を示す斜視図である。図６は、実施形態における電子時計のムーブメントの要部側面図である。図７は、実施形態における電子時計のムーブメントの要部側面図である。図８は、実施形態における第一導通部材を示す図である。図９は、実施形態における導通部材を示す図である。図１０は、実施形態における電子時計のムーブメントの組み立て説明図である。図１１は、変形例における電子時計のムーブメントの平面図である。なお、図１および図２はアンテナ部材よりも上方向側に配置される部品を省略した図であり、図３および図４は基板よりも下方向側に配置される部品を省略した図であり、図６および図９は中枠を省略した図であり、図５は第一導通部材を接触方向から見た図であり、図８は導通部材を接触方向から見た図である。各図におけるＺ方向は電子時計の軸方向および上下方向であり、Ｚ１が上方向、Ｚ２が下方向である。各図におけるＷ方向は径方向から見た場合において、地板４の外周面４ａに沿った接触方向であり、Ｗ１がアーム部方向、Ｗ２が曲げ部方向Ｗ２である。
【００１２】
実施形態における電子時計１は、外部からの信号を受信することで、電子時計１の種々の機能、例えば、時刻補正機能、アラーム機能、メール通知機能などを実現するものである。本実施形態における電子時計１は、腕時計式であり、アナログ表示式のアナログ電子腕時計である。電子時計１は、時計のムーブメントであるムーブメントＭＭと図示しない外装ケースとにより構成され、外装ケースに形成された収容空間部にムーブメントＭＭが収容され、収容空間部が図示しない風防により閉塞される。電子時計１は、図１〜図５に示すように、アンテナ部材２と、基板３と、地板４と、曲げ部（第一接触部）５と、導通部材６の後述するアーム部（第二接触部）６２と、中枠７と、電池８と、ステップモータ９，１０と、日車１１とを備え、これらを含めてムーブメントＭＭが構成されている。
【００１３】
アンテナ部材２は、外部からの信号を送受信するものであり、図１および図２に示すように、曲げ部（第一接触部）５およびアーム部（第二接触部）６２を介して、基板３と電気的に接続されている。アンテナ部材２は、金属製であり、軸方向から見た場合に、円形の板状に形成されている。アンテナ部材２は、例えば、衛星が出力するＧＰＳ（ＧＬＯＢＡＬ  ＰＯＳＩＴＩＯＮＩＮＧ  ＳＹＳＴＥＭ）信号の受信や、近距離無線通信規格の一つであるＢｌｕｅｔｏｏｔｈ（登録商標）規格の信号の送受信を行うものである。アンテナ部材２は、地板４に対して上下方向のうち、上方向Ｚ１側に配置されている。ムーブメントＭＭの中心Ｏにおいて、指針回転軸１２を貫通する貫通穴２１が形成されている。アンテナ部材２は、日車１１の一部をムーブメントＭＭの外部（アンテナ部材２よりも上方向Ｚ１側）に露出させる日窓２２が形成されている。本実施形態におけるアンテナ部材２上には、ソーラーセル２３が設けられており、ソーラーパネルとしても機能する。ソーラーセル２３は、アンテナ部材２の軸方向における両面のうち、上方向Ｚ１側の面において、中心Ｏを中心として、周方向に等間隔に複数配置されている。ソーラーセル２３は、図示しない導通手段により基板３と電気的に接続されている。
【００１４】
基板３は、電子時計１を制御するものであり、図３および図４に示すように、電池８および／またはソーラーセル２３が発生する電力により、電子時計１のステップモータ９，１０などの駆動機器を制御駆動するものである。基板３は、絶縁性を有し、軸方向から見た場合に、円形の板状に形成され、図示しない配線や電子部品が実装されている。基板３は、地板４に対して上下方向のうち、下方向Ｚ２側に配置されている。本実施形態における基板３は、曲げ部（第一接触部）５およびアーム部（第二接触部）６２を介して、アンテナ部材２が受信した信号が入力される通信ＩＣ３１が実装されている。通信ＩＣ３１は、基板３の軸方向における両面のうち、上方向Ｚ１側の面において実装されている。基板３は、通信ＩＣ３１と導通部材６とを電気的に接続する配線３２が形成されている。また、基板３には、導通部材６を固定するボルト１３が挿入される挿入穴３３が形成されている。
【００１５】
地板４は、軸方向においてアンテナ部材２と基板３との間に配置されるものである。地板４は、金属製または絶縁体（樹脂製またはセラミック製）であり、軸方向から見た場合に、凹凸のある円盤状に形成されている。地板４は、内部空間部にムーブメントＭＭを構成する各種機器、例えば電池８、ステップモータ９，１０、日車１１などが収容される。地板４は、軸方向のうち上方向Ｚ１側端部にアンテナ部材２が取り付けられる。本実施形態における地板４に対するアンテナ部材２の取り付けは、アンテナ部材２に取り付けられる第一導通部材５において下方向Ｚ２側に突出して形成された図示しない係止爪が、地板４の外周面４ａに形成された係止受けに係止されることで行われる。また、地板４は、軸方向のうち下方向Ｚ２側端部に基板３が取り付けられる。本実施形態における地板４に対する基板３の取り付けは、基板３に形成された挿入穴３３にボルト１３が挿入され、地板４に形成されたねじ溝にボルト１３が螺合することで行われる。地板４は、外周面４ａにおいて径方向内側に窪む凹部４１が形成されている。凹部４１は、曲げ部（第一接触部）５およびアーム部（第二接触部）６２が配置されるものであり、外周面４ａの一部が径方向内側に凹むことで形成されている。
【００１６】
曲げ部（第一接触部）５は、第一接触部であり、アンテナ部材２と基板３とを導通するものである。本実施形態における曲げ部（第一接触部）５は、金属製であり、図５および図７に示すように、アンテナ部材２と一体に形成されている。曲げ部（第一接触部）５は、アーム部（第二接触部）６２と電気的に接触するものである。曲げ部（第一接触部）５は、アンテナ部材２の外周において、径方向内側に凹む凹部２４に形成されている。曲げ部（第一接触部）５は、凹部２４において、下方向Ｚ２側、すなわち基板方向側に突出して形成されている。ここで、曲げ部（第一接触部）５は、アンテナ部材２の外周から径方向外側に突出して形成された片部を基板方向側に折り曲げることで形成される。曲げ部（第一接触部）５は、地板４の外周面４ａよりも径方向外側に配置され、本実施形態では軸方向から見た場合に、凹部４１に位置する。つまり、曲げ部（第一接触部）５は、地板４の外周面４ａよりも径方向外側に配置されている。曲げ部（第一接触部）５は、径方向から見た場合に、矩形状に形成されている。曲げ部（第一接触部）５は、図８に示すように、アーム部（第二接触部）６２の後述する接触面６２ａと電気的に接触する接触面５ａが形成されている。接触面５ａは、図７に示すように、径方向から見た場合に、軸方向と交差して形成されている。接触面５ａは、接触方向のうち、アーム部方向Ｗ１側端部の下方向Ｚ２側端部に形成されている。本実施形態における接触面５ａは、下方向Ｚ２に向かうにつれて、曲げ部方向Ｗ２側に向かう傾斜面に形成されている。ここで、接触方向は、径方向から見た場合において、地板４の外周面４ａに沿った方向であり、例えば、ムーブメントＭＭの周方向または接線方向をいう。
【００１７】
導通部材６は、アンテナ部材２と基板３とを導通するものである。導通部材６は、金属製であり、図７に示すように、本体部６１と、アーム部（第二接触部）６２とを有している。本体部６１は、平板であり、基板３に対して軸方向のうち上方向Ｚ１側に固定されている。本体部６１は、軸方向において基板３の挿入穴３３と対向し、ボルト１３が挿入される挿入穴６１ａが形成されている。本実施形態における本体部６１は、軸方向における両面のうち、下方向Ｚ２側の面が、基板３の軸方向における両面のうち上方向Ｚ１側の面に形成された配線（図３参照）と電気的に接触した状態で、基板３に固定されている。アーム部（第二接触部）６２は、第二接触部であり、曲げ部（第一接触部）５と電気的に接触するものである。アーム部（第二接触部）６２は、本体部６１の外周から上方向Ｚ１側、すなわちアンテナ部材方向側に突出して形成されている。アーム部（第二接触部）６２は、地板４の外周面４ａよりも径方向外側に配置され、本実施形態では軸方向から見た場合に、凹部４１に位置する。つまり、導通部材６は、少なくとも一部であるアーム部（第二接触部）６２が地板４の外周面４ａよりも径方向外側に配置されている。従って、第一導通部材５および導通部材６は、凹部４１に位置するので、第一導通部材５および導通部材６の中心Ｏからの距離を地板４の半径以下とすることができる。これにより、第一導通部材５および導通部材６を地板４の外周面４ａよりも径方向外側に配置することで、ムーブメントＭＭの外径が大きくなることを抑制することができる。アーム部（第二接触部）６２は、本体部６１に対して弾性変形可能に形成されており、図９に示すように、接触方向から見た場合に、上下方向に延在する長板状に形成されている。アーム部（第二接触部）６２は、第一導通部材５の接触面５ａと電気的に接触する接触面６２ａが形成されている。接触面６２ａは、径方向から見た場合において、アーム部（第二接触部）６２の上方向Ｚ１側端部、すなわち先端部６２ｂに形成されている。ここで、アーム部（第二接触部）６２は、アーム部（第二接触部）６２のうち、先端部６２ｂの幅（径方向における長さ）が先端部６２ｂと異なる部分、すなわち先端部６２ｂよりも下方向Ｚ２側の部分の幅が広く形成されている。つまり、接触面６２ａは、先端部６２ｂと異なる部分よりも、径方向において広く形成されている。アーム部（第二接触部）６２は、図１０に示すように、外力が作用していない状態において、本体部６１から上方向に突出し、かつ先端部６２ｂがアーム部方向Ｗ１側に向かって、本体部６１に対して傾斜して形成されている。アーム部（第二接触部）６２は、外力が作用していない組立前状態において、上下方向において曲げ部（第一接触部）５と対向、本実施形態では先端部６２ｂが接触面５ａと対向する。ここで、図７に示すように、地板４にアンテナ部材２、基板３、第一導通部材５および導通部材６が取り付けられた状態おいて、接触面６２ａと接触面５ａとが接触方向において電気的に接触し、第一導通部材５および導通部材６が接触状態となる。また、アーム部（第二接触部）６２は、接触状態において、接触方向のうち、曲げ部（第一接触部）５と反対方向、すなわちアーム部方向Ｗ１に弾性変形する。
【００１８】
中枠７は、ムーブメントＭＭが外装ケースの収容空間部に収容された状態において、外装ケースの図示しない内壁と、地板４との間に介在するものであり、スペーサとして機能するものである。中枠７は、合成樹脂製などの絶縁性を有するものであり、図１および図３に示すように、円筒状に形成されている。中枠７は、地板４の外周面４ａよりも径方向外側に配置されており、軸方向から見た場合に、曲げ部（第一接触部）５およびアーム部（第二接触部）６２が地板４の凹部４１との間に位置する。中枠７は、図示しない係止機構により、地板４に取り付けられている。中枠７は、図６に示すように、径方向において凹部４１と対向する部分に切欠部７１が形成されている。切欠部７１は、中枠７の外周面７ａから図示しない内周面まで連通するものであり、中枠７より外部に凹部４１が露出するように形成されている。本実施形態における切欠部７１は、外周面７ａのうち、下方向Ｚ２側端部から上方向に向かって一部を切り欠いている。従って、切欠部７１は、凹部４１の配置されている接触状態のアーム部（第二接触部）６２と曲げ部（第一接触部）５のうち、少なくともアーム部（第二接触部）６２を中枠７の外部から視認することができる。ここで、アーム部（第二接触部）６２は、接触状態であると、アーム部方向Ｗ１側に弾性変形しているので、作業員がアーム部（第二接触部）６２の弾性変形を視認することで、地板４に中枠７が取り付けられていても、第一導通部材５および導通部材６の接触状態を確認することができる。なお、切欠部７１は、外周面７ａに対して切り欠く領域を広くすることで、接触状態の接触面５ａおよび接触面６２ａを中枠７の外部から視認することができるようにしてもよい。また、中枠７は、軸方向から見た場合に、外装ケースと、後述する通信関係領域Ｓとの間に介在し、通信関係領域Ｓに対して外装ケースを離すことができるので、外装ケースが金属部材である場合に、外装ケースが通信状態に影響を与えることを抑制することができる。
【００１９】
電池８は、図３に示すように、基板３に電力を供給することで、電子時計１のステップモータ９，１０などの駆動機器を駆動するものである。本実施形態における電池８は、二次電池であり、ソーラーセル２３が発電した電力を蓄電することができるものである。電池８は、地板４の内部空間部に対して、基板３の軸方向における両面のうち、下方向Ｚ２側の面から挿入され、収容される。電池８は、軸方向から見た場合に、基板３の中心、すなわちムーブメントＭＭの中心Ｏを挟んで、通信ＩＣ３１、導通部材６および配線３２が含まれる通信関係領域Ｓと反対側に配置されている。つまり、電池８は、軸方向から見た場合に、通信に関係する対象から離れた位置に配置される。ここで、電池８は、ムーブメントＭＭにおいて、大きな金属部品であり、ノイズの発生など通信状態に影響を与える可能性がある。従って、通信関係領域Ｓに対して、電池８が離れていることで、電池８が通信状態に影響を与えることを抑制することができる。
【００２０】
ステップモータ９，１０は、図３に示すように、基板３に供給された電池８からの電力により駆動するものである。本実施形態におけるステップモータ９，１０は、変換器であり、指針回転軸１２を回転させることで、図示しない秒針、分針、時針などの指針を回転させるものである。ステップモータ９，１０は、地板４の内部空間部に収容される。ステップモータ９，１０は、軸方向から見た場合に、基板３の中心、すなわちムーブメントＭＭの中心Ｏを挟んで、対向して配置されている。本実施形態におけるステップモータ９，１０は、電池８と、通信関係領域Ｓとの間に配置されている。つまり、ステップモータ９，１０は、軸方向から見た場合に、通信に関係する対象から離れた位置に配置される。ここで、ステップモータ９，１０は、ムーブメントＭＭにおいて、電池８と同様に大きな金属部品であり、ノイズの発生など通信状態に影響を与える可能性がある。従って、通信関係領域Ｓに対して、ステップモータ９，１０が離れていることで、ステップモータ９，１０が通信状態に影響を与えることを抑制することができる。なお、図示しないリューズやプッシュボタンなどの金属部品も、通信関係領域Ｓから離れた位置に配置されることがよい。
【００２１】
日車１１は、図１に示すように、アンテナ部材２に形成された日窓２２から一部が露出するものであり、電子時計１を使用するユーザーに、時計内部時刻に基づいた日を認識させるものである。日車１１は、アンテナ部材２の下方向Ｚ２側に配置されており、ステップモータ９，１０のいずれかにより回転するものである。ここで、日窓２２は、軸方向から見た場合に、アンテナ部材２のうち、径方向外側において曲げ部（第一接触部）５およびアーム部（第二接触部）６２と対向しない位置に形成されている。つまり、曲げ部（第一接触部）５およびアーム部（第二接触部）６２は、軸方向から見た場合に、日窓２２の径方向外側において日窓２２と対向する位置とは異なる位置に設けられている。従って、アンテナ部材２に形成された日窓２２に対して、曲げ部（第一接触部）５およびアーム部（第二接触部）６２を離すことで、アンテナ部材２と曲げ部（第一接触部）５との電気的な接触箇所の近傍において、アンテナ部材２に対して穴が形成されることを抑制することができる。これにより、アンテナ部材２をアンテナとして有効に使用することができる。
【００２２】
次に、ムーブメントＭＭの組み立てについて説明する。まず、作業員は、地板４に対してステップモータ９，１０などを組み付ける。次に、作業員は、図１０に示すように、地板４に対して、導通部材６および基板３を組み付ける。ここでは、作業員は、導通部材６を地板４と基板３との間に挟んだ状態で、基板３の挿入穴３３および導通部材６の挿入穴６１ａに挿入されたボルト１３を地板４に螺合することで、地板４に対して導通部材６および基板３を固定する。このとき、アーム部（第二接触部）６２は、凹部４１に位置する。次に、作業員は、地板４に対して、予めアンテナ部材２に固定されている第一導通部材５およびアンテナ部材２を組み付ける。ここでは、作業員は、曲げ部（第一接触部）５が上下方向においてアーム部（第二接触部）６２と対向するように、地板４に対してアンテナ部材２および第一導通部材５を対向させ、地板４に対してアンテナ部材２および第一導通部材５を下方向Ｚ２に近づけることで、曲げ部（第一接触部）５を凹部４１に挿入しつつ、貫通穴２１に対して指針回転軸１２を挿入する。これにより、曲げ部（第一接触部）５の接触面５ａがアーム部（第二接触部）６２の接触面６２ａに接触することで、図４に示すように、接触面５ａおよび接触面６２ａが接触した状態を維持しつつ、アーム部（第二接触部）６２が曲げ部（第一接触部）５に対してアーム部方向Ｗ１に弾性変形する。次に、作業員は、地板４に対して中枠７を取り付ける。ここでは、作業員は、切欠部７１が径方向においてアーム部（第二接触部）６２と対向するように、地板４に対して中枠７を対向させ、地板４に対して中枠７を上下方向のうちいずれかの方向に近づけることで、地板４に対して中枠７を固定する。これにより、ムーブメントＭＭを組み立てる。
【００２３】
以上のように、本実施形態における電子時計１では、曲げ部（第一接触部）５およびアーム部（第二接触部）６２が地板４の外周面４ａよりも径方向外側にそれぞれ配置され、かつ、径方向から見た場合に、アーム部（第二接触部）６２がアーム部方向Ｗ１に弾性変形した状態で、曲げ部（第一接触部）５およびアーム部（第二接触部）６２が接触方向において電気的に接触するので、地板４に対して、アンテナ部材２、基板３、第一導通部材５および導通部材６を組み付けても、曲げ部（第一接触部）５およびアーム部（第二接触部）６２が地板４の外周面４ａよりも径方向外側で電気的に接触しているので、組立後のムーブメントＭＭにおいても、第一導通部材５および導通部材６によるアンテナ部材２と基板３との電気的な接続を確認することができる。
【００２４】
また、アーム部（第二接触部）６２の先端部６２ｂに形成されている接触面６２ａは、先端部６２ｂと異なる部分よりも、径方向において広く形成されているので、曲げ部（第一接触部）５とアーム部（第二接触部）６２とが電気的に接触する際に、広い接触面６２ａに対して接触面５ａが接触することとなるので、地板４に取り付けられる部品、すなわちアンテナ部材２、基板３、第一導通部材５および導通部材６の寸法精度に拘わらず、ムーブメントＭＭの組立時に、接触面５ａおよび接触面６２ａを確実に接触させることができる。
【００２５】
また、曲げ部（第一接触部）５に形成されている接触面５ａは、径方向から見た場合に、軸方向と交差して形成されているので、接触面５ａが軸方向に平行に形成されている場合と比較して、確実に接触することができる。また、接触面５ａは、下方向Ｚ２に向かうにつれて、曲げ部方向Ｗ２側に向かう傾斜面に形成されており、弾性変形をすることで、下方向Ｚ２に向かうにつれて、アーム部方向Ｗ１側に向かうように撓むアーム部（第二接触部）６２の接触面６２ａとの交差を小さくすることができる。従って、接触面５ａと接触面６２ａとの接触面積を広くすることができ、接触状態を確実に維持することができる。
【００２６】
また、曲げ部（第一接触部５）は、アンテナ部材２と一体に形成されているので、部品点数の削減と、ムーブメントＭＭの薄型化を図ることができる。なお、曲げ部（第一接触部）５は、アンテナ部材２と電気的に接続する別部材として、形成されていてもよい。
【００２７】
なお、本実施形態における電子時計１では、アンテナ部材２に曲げ部（第一接触部）５を形成し、導通部材６にアーム部（第二接触部）６２を形成したが、これに限定されるものではない。例えば、アンテナ部材２にアーム部（第二接触部）を形成し、導通部材６に曲げ部（第一接触部）を形成してもよい。また、第一導通部材５および導通部材６の両方に、弾性変形をする曲げ部を形成してもよい。
【００２８】
また、本実施形態における電子時計１では、接触面５ａが傾斜面として形成されているが、これに限定されるものではなく、湾曲面であってもよい。
【００２９】
また、本実施形態における電子時計１では、地板４の凹部４１に、曲げ部（第一接触部）５およびアーム部（第二接触部）６２が配置したがこれに限定されるものではない。図１１は、変形例における電子時計のムーブメントの平面図である。曲げ部（第一接触部）５およびアーム部（第二接触部）６２は、地板４の径方向外側に配置されていればよく、例えば、図８に示すように、中枠７の内周面７ｂにおいて径方向外側に窪む凹部７２が形成され、曲げ部（第一接触部）５およびアーム部（第二接触部）６２が凹部７２に配置されていてもよい。この場合は、地板４の外径よりも径方向外側に、曲げ部（第一接触部）５およびアーム部（第二接触部）６２が位置することとなるが、径方向において中枠７と地板４との間に位置することなり、ムーブメントＭＭの外径に影響を与えることはない。
【００３０】
また、本実施形態における電子時計１では、接触面６２ａが先端部６２ｂと異なる部分よりも径方向において広く形成されているが、これに限定されるものではなく、接触面５ａが曲げ部５の先端部（下方向Ｚ２側端部）と異なる部分よりも径方向において広く形成されていてもよい。また、接触面５ａおよび接触面６２ａの両方が径方向において広く形成されていてもよい。
【符号の説明】
【００３１】
１  電子時計
２  アンテナ部材
２１  貫通穴
２２  日窓
２３  ソーラーセル
３  基板
３１  通信ＩＣ
３２  配線
３３  挿入穴
４  地板
４ａ  外周面
４１  凹部
５  曲げ部（第一接触部）
５ａ  接触面
６  導通部材
６１  本体部
６２  アーム部（第二接触部）
６２ａ  接触面
６２ｂ  先端部
７  中枠
７ａ  外周面
７１  切欠部
８  電池
９，１０  ステップモータ
１１  日車
１２  指針回転軸
１３  ボルト
Ｓ  通信関係領域
【図１】
2019158590.tif 000003
【図２】
2019158590.tif 000004
【図３】
2019158590.tif 000005
【図４】
2019158590.tif 000006
【図５】
2019158590.tif 000007
【図６】
2019158590.tif 000008
【図７】
2019158590.tif 000009
【図８】
2019158590.tif 000010
【図９】
2019158590.tif 000011
【図１０】
2019158590.tif 000012
【図１１】
2019158590.tif 000013